(57)【要約】【課題】  従来の制御盤において、片開き扉や両開き（観音開き）扉は、開いた状態では扉が出っ張ったりして作業がし難く、また開閉するためのスペースが必要となっていた。  本発明の目的は、制御盤の片開き扉及び両開き（観音開き）扉をなくし、すなわち開いた時の扉の出っ張りをなくした制御盤を提供することにある。【解決手段】  本発明は、制御機器や遮断器を収納した制御盤において、該制御盤の扉を水平方向に開閉可能なシャッターとし、該シャッターを巻き取るシャッター巻取器を該制御盤のコーナに配置したことを特徴とする。また、制御盤内の天井部にファンを配置した構成では、制御盤の扉のシャッターを構成するスラットにおいて、上側に透明の窓を形成し、下側に空気取入口を形成した構成とすることを特徴とする。【選択図】  図１Ａ
2014217139.tif 000002
【特許請求の範囲】
【請求項１】
制御機器や遮断器を収納した制御盤において、
該制御盤の扉を水平方向に開閉可能なシャッターとし、
該シャッターを巻き取るシャッター巻取器を該制御盤のコーナに配置したことを特徴とする制御盤。
【請求項２】
請求項１記載の制御盤において、
前記制御盤内の天井部にファンを配置し、
該制御盤の扉のシャッターを構成するスラットにおいて、上側に透明の窓を形成し、下側に空気取入口を形成した構成とすることを特徴とする制御盤。
【請求項３】
請求項２記載の制御盤において、
前記スラットの窓は、該スラットに形成した孔にアクリルなどの透明板を載置し固定して形成し、
前記スラットの取入口は、該スラットに形成した孔にメッシュやフィルタを載置し固定して形成したことを特徴とする制御盤。
【請求項４】
請求項３記載の制御盤において、
前記空気取入口は、パンチング孔、切り起し板、または角度調整板とフィルタとを組み合わせて構成することを特徴とする制御盤。
【請求項５】
制御機器や遮断器を収納し、天井部にファンを配置した制御盤において、
該制御盤の扉を上下方向に開閉するシャッターとし、
該シャッターの両側にシャッター用のガイドレールを配置し、
前記シャッター扉の上部にシャッター巻取部を配置し、
前記シャッターの上側のスラットには透明の窓を形成し、
前記シャッターの下側のスラットには空気取入口を形成したことを特徴とする制御盤。
【請求項６】
制御機器や遮断器を収納し、天井部にファンを配置した制御盤において、
前記制御盤の扉を水平方向に開閉するシャッターと、
前記制御盤の正面より側面に沿って設置したシャッター用のガイドレールと、を備え、
前記シャッターのスラットの上側に窓を形成し、下側に空気取入口を形成したことを特徴とする制御盤。
【請求項７】
制御機器や遮断器を収納し、天井部にファンを配置した制御盤において、
前記制御盤の扉を、水平方向に折り畳んで開閉するアコーディオンカーテンとし、
該各々のアコーディオンカーテンに窓と空気取入口を形成したことを特徴とする制御盤。
【請求項８】
制御機器や遮断器を収納し、天井部にファンを配置した制御盤において、
前記制御盤の扉を、多段の引戸とし、
該多段の引き戸の上側に窓を形成し、下側に空気取入口を形成したことを特徴とする制御盤。
【請求項９】
制御機器や遮断器を収納し、天井部にファンを配置した制御盤において、
前記制御盤の扉を、垂直方向に開閉可能なシャッターとし、
該シャッターの両側には、前記制御盤の正面から上面、そして背面に続くシャッター用のガイドレールを配置し、
前記制御盤の背面下部には該シャッター巻取用の巻取部を配置したことを特徴とする制御部。
【発明の詳細な説明】
【技術分野】
【０００１】
本発明は、制御盤の開閉扉の構造に関するものである。
【背景技術】
【０００２】
制御盤は、対象設備の規模や仕様によってサイズは一様ではなく、取り付け方法の違いによっては、自立タイプや壁掛けタイプ等に区別され、さらに保護構造によっても防塵形や防滴形など、さまざまに区分けされて気密性にも違いがある。解放タイプでもない限り、盤の周囲は鉄板（鋼板またはＳＵＳ等）で覆われている。そして盤の正面と場合によっては背面にも開閉頻度が高い場合は、開き戸の扉が取り付けられる。開き戸には片開き戸と両開き戸（観音開き）違いがあり、横幅が長くなる場合は両開き戸の２枚扉にしている。
【０００３】
制御盤の解放部の正面または背面の前スペースは作業用の空きスペースが必要となる。その作業スペースは、扉を開いた時の出っ張り分の長さに加えて、人が通れる分の長さが最低限必要とされ、結構なスペースが必要となる。通常、制御盤は制御のための重要機器であるために専用の設置スペースが用意されて、保守用の作業スペースも考慮されている。しかし、移動設備等の可動設備の場合は設置スペースが限られているため、作業スペースも最小限が求められる。
【０００４】
また、特許文献１（特開平９−８４２１８号公報）には、制御盤の筺体に関し、片開き及び両開き（観音開き）扉をヒンジを用いて筺体のフレームに取り付けることが開示されている。
【先行技術文献】
【特許文献】
【０００５】
【特許文献１】特開平９−８４２１８号公報
【発明の概要】
【発明が解決しようとする課題】
【０００６】
従来の制御盤について、図８Ａ及び図８Ｂにその一例を示し、説明する。
図８Ａは制御盤の正面を示し、図８Ｂは制御盤の背面を示している。図８Ａにおいて、１０は制御盤、１１は制御盤本体、１２は正面の両開き（観音開き）扉、１３はハンドル、１４は扉に設けた空気取入口で防塵用フィルタやメッシュなどで形成される。１５はインバータ、１６は端子台や回路遮断器を配置した制御ボックス、１７も同様に端子台などを配置した制御ボックス、１８は大容量対応の三相用回路遮断器、１９は配線などの線材をインバータ１５を設置している設置板２２の裏側に送る線材用孔である。２０は制御盤１０内の空気を冷却する冷却ファンで、２１は排気ダクトである。
図８Ｂは、制御盤１０の背面を示し、両開き（観音開き）扉を開放した状態を示し、図８Ｂにおいて、２３は両開き（観音開き）扉、２４は扉を開閉するためのハンドル、２５は空気取入口、２６はインバータ１５の駆動用制御ボックス、２７は大容量対応の回路遮断器、２８は端子台を示している。
【０００７】
従来の制御盤１０は、図８Ａ、図８Ｂに示すように両開き（観音開き）扉が正面及び背面にも配置されており、作業者が作業時にまたはメンテナンス時に扉を開放した状態においては、作業スペースが扉の幅分必要となっていた。これは片開き扉の場合でも同様のことがいえる。
【０００８】
また、制御盤を横方向に並べて管理する場合もあるため、観音開き扉の開く角度は、隣の制御盤の扉と当たらないように、約９０度としている。そのため開いた状態では扉が出っ張った状態となって作業がし難いという課題があった。また、観音開き扉の場合は、扉を開くための片側の戸の幅分のスペースが必要であった。これは、観音開き扉以外の片開き扉も同じ課題を有している。
【０００９】
本発明の目的は、制御盤の片開き扉及び両開き（観音開き）扉をなくし、すなわち開いた時の扉の出っ張りをなくした制御盤を提供することにある。
【課題を解決するための手段】
【００１０】
上記課題を解決するために、例えば特許請求の範囲に記載の構成を採用する。
本願は上記課題を解決する手段を複数含んでいるが、その一例を挙げるならば、「制御機器や遮断器を収納した制御盤において、該制御盤の扉を水平方向に開閉可能なシャッターとし、該シャッターを巻き取るシャッター巻取器を該制御盤のコーナに配置したことを特徴とする。また、制御盤内の天井部にファンを配置した構成では、制御盤の扉のシャッターを構成するスラットにおいて、上側に透明の窓を形成し、下側に空気取入口を形成した構成とすることを特徴とする。」を特徴とする。
【発明の効果】
【００１１】
本願発明によれば、制御盤の扉を開き戸からスライド巻き扉にすることで、扉を開いた時の盤前面の出っ張りをなくすことができる。盤前面の保守スペースは扉の幅分＋人が通る分の保守スペースから、作業スペース分＋人が通るためのスペース分と小さくできる。作業スペースと人が通るスペースを兼用すればさらに保守スペースが節約できる。
【００１２】
扉の出っ張りがないため、作業の妨げにならずに効率的に進めることができる。さらに、保守スペースが限定されている場合、開き戸では扉幅に制約がでるため盤横幅も制約され、盤面数を増やすか、盤内の機器設置の検討など考慮や対応が必要になるが、スライド巻き扉タイプにすればこの制約をなくすことができる。
【図面の簡単な説明】
【００１３】
【図１Ａ】本発明の実施例１の制御盤の全体構成の斜視図を示す。
【図１Ｂ】図１Ａのシャッター巻取部の斜視図を示す。
【図１Ｃ】本発明のシャッターのスラップの構成の図を示す。
【図１Ｄ】本発明のシャッターのスラップの断面図を示す。
【図１Ｅ】本発明のスラップに設けた別の実施例の空気取入口を示す。
【図１Ｆ】本発明のスラップに設けた、また別の実施例の空気取入口を示す。
【図１Ｇ】本発明のスラップに設けたさらに別の実施例の空気取入口を示す。
【図２】本発明の実施例２の制御盤の全体構成の斜視図を示す。
【図３】本発明の実施例３の制御盤の全体構成の斜視図を示す。
【図４】本発明の実施例４の制御盤の全体構成の斜視図を示す。
【図５】本発明の実施例５の制御盤の全体構成の斜視図を示す。
【図６】本発明の実施例６の制御盤の全体構成の斜視図を示す。
【図７】本発明の実施例７の制御盤の全体構成の斜視図を示す。
【図８Ａ】従来の制御盤の正面の全体構成の斜視図を示す。
【図８Ｂ】従来の制御盤の背面の全体構成の斜視図を示す。
【発明を実施するための形態】
【００１４】
以下、本発明の実施の形態を、図面を用いて説明する。
（実施例１）
本発明の実施例１は、制御盤の扉をスライドするシャッター構造にし、図１Ａに左右にスライドして開閉するシャッター扉を搭載した制御盤の斜視図を示す。図１Ａは、シャッターを両側にスライドして扉を開閉する方式で、図１Ａにおいて、１０は制御盤、３０はシャッターを形成しているスラット、３１はシャッターの巻取部、３２はシャッターの取手、３３はシャッターのスラット３０に配置した窓、３４はスラット３０に配置した空気取り込み口を示す。３５はシャッターの上下端に設置したガイドレールである。制御盤１０の中に配置された機器や端子台は図８Ａ、図８Ｂと同じものである。
【００１５】
また、図１Ｂは、シャッターのスラット３０を巻き取る巻取部３１を示し、シャッター巻取シャフト３６が巻取部３１のシャフト受け３７に嵌合され、回転可能となりスラット３０を巻き取ったり送り出したりすることが可能となる。巻取部３１は、円筒形のカバーを有し、カバーの一部よりシャッターのスラット３０を巻き取ったり出したりする構成となっている。
また、シャッター巻取部３１はモータを有した開閉機とチェーンなどを接続し、電動でシャッターを巻き取ったり送り出したりすることも可能である。
【００１６】
次に、図１Ｃを用いてシャッターのスラット３０に配置する空気取入口３４について説明する。図１Ｃにおいて、シャッターのスラット３０には、窓用の細長い孔３８を上側に形成し、下側にも空気取入口用の細長い孔３９を形成する。また、窓用の細長い孔３８の上にアクリルなどの透明板３３をねじ止めなどにより形成する。また、スラット３０の下側の細長い孔３９には、孔３９に対応したフィルタ４０を孔３９の上に載置し、さらにフィルタ４０の上にメッシュ３４を載置し、ねじ止めして固定する。
ここで、窓３３に用いる透明板としてアクリル板のほかに、ＰＣ（ポリカーボネート）、ＰＥＴ、ＰＶＣの板材がある。
【００１７】
次に、図１Ｄにシャッターの構造を示し、これについて説明する。
図１Ｄにおいて、図１Ｄ（ａ）は、シャッターの隣り合うスラット３０の正面図を示し、図１Ｄ（ｂ）はスラット３０の窓部分のＡ−Ａ断面図、図１Ｄ（ｃ）はスラット３０の空気取入口部のＢ−Ｂ断面図を示す。
図１Ｄ（ｂ）のＡ−Ａ断面図において、窓３３に用いるアクリル板などの透明板は、中央部を凹ませた形状とし、スラット３０に透明板の周囲をネジ止めなどで固定する。
また、隣り合うスラット３０の接続部は、円形状の外側嵌合環４１と円形状の内側嵌合環４２を嵌め合い、スラット同士が回転駆動できるように形成する。また、図示していないが、回転駆動がスムーズにいくように内側と外側の嵌合環の間隙に合成樹脂のカバーを挿入しても良い。
【００１８】
次に、図１Ｄ（ｃ）のＢ−Ｂ断面図において、スラット３０の上側に防塵フィルタ４０を載置し、その上にさらにメッシュ３４を載置し、ネジ止めし固定している。図１Ｄ（ｃ）図では、メッシュ３４と防塵フィルタ４０に間隙を有しているが、分かり易くするために隙間を持たせている。
【００１９】
次に、メッシュ３４の外に、図１Ｅに示すようにパンチング孔を有した板材を空気取入口として用いることも可能である。
また、他の実施例として図１Ｆに示したように、板材の一部を切り起し、切り起した部分４４で制御盤１０の外部の空気取り込める構成とする。
切り起しの方向をスラット毎に方向を逆にすることもできる。
また、図１Ｇに示しているように制御盤外部から空気を取入る方式として、ブラインドのように空気を取り込む板材の角度を変化させる構造もある。この構造は細長い板材４５で、上下の短辺の中央部に軸を設け、この軸を回転軸として回転駆動ができるように形成し、制御盤１０の周囲の空気の流れに従って、より多く空気を取入るように板材４５の角度を調整するものである。
【００２０】
一般に、制御盤を複数台設置した制御室などにおいては、制御室の上部にエアコンを配置し、制御室内の空調を行っている。そのため制御室内には、空気の流れが生じており、図１Ｆの切り起し構造や図１Ｇのブラインド方式は空気を取り入れ易い。
また、防塵フィルタは、一般にエアフィルタと呼ばれ、プレフィルタ、中高性能フィルタ、ＨＥＰＡフィルタがあり、制御盤で使用されているのはプレフィルタや中高性能フィルタである。そして、実施例１ではメッシュの下側に防塵フィルタを配置したが、アルミ板などの枠で挟み込む構成にしても良い。
【００２１】
（実施例２）
本発明の第２の実施例は、実施例１のシャッターのスラット３０において、上部に窓３３を配置し下部に空気取入口３４を配置したスラット３０と、窓４６を全面に設けたスラットとを交互に配置したシャッターを搭載した制御盤で、図２にその制御盤の斜視図を示す。図２に示すように、スラット３０の全体にアクリルなどの透明板で構成した窓を設けることで、制御盤の外部から制御盤１０内の下側の制御機器の様子を扉越しに確認することができ、管理し易くなる。
【００２２】
（実施例３）
次に、本発明の実施例３の構成について説明する。実施例３は、制御盤１０の扉のシャッターを上下方向に開閉する構成で、図３を用いて説明する。図３において、４７はシャッターのスラット、４８はスラット４７に形成した窓、４９は空気取入口、５０は凹んだ形状の取手、５１はシャッター巻取部、５２は両側に配置したガイドレールである。
【００２３】
上下方向に開閉するシャッターにおいて、全閉時シャッターの中央より下側は、メッシュや防塵フィルタを配置した空気取入口４９をスラットの横方向（長手方向）の幅分（長さ分）に形成する。
また、扉の全閉時、シャッターの中央より上側はアクリル板などの透明板やビニールなどの透明シートをスラットの横方向の幅分に形成する。
シャッター４７の巻取部５１は、制御盤前面の上部に配置し、シャッター４７を取手５０に手の指を掛け、持ち上げたときに巻取り、全開時のシャッターは取手５０に手を伸ばして指を掛け引っ張り下ろしたときにシャッターは引き出され閉まる構成になっている。
また、シャッター４７の左右にはガイドレール５２を配置し、シャッターはガイドレール５２に沿ってスムーズに上下駆動できるようにしている。
【００２４】
（実施例４）
次に、本発明の実施例４について説明する。
実施例４は、制御盤のシャッターを両開きに開閉する構成で、シャッターを巻き取らずに、制御盤１０の側面に収納する構成で、図４に制御盤の斜視図を示す。
図４において、５３はシャッターのスラット、５４はシャッターのガイドレール、５５はシャッターの取手である。
シャッターを両開き方向に開閉する制御盤１０において、上下に配置したガイドレール５４を制御盤１０の前面から側面に渡り配置し、コーナ部はスラット５３が移動し易いように曲率半径Ｒを設ける。
また、シャッターのスラット５３の上側は、アクリル板などの透明板の窓３３を配置し、スラット５３の下側は空気取入口３４を配置する。
このような両開き扉の構成において、左右のシャッターの長さを同じとし、それぞれのシャッターの長さ分を制御盤の奥行きの長さとすると、シャッターは制御盤の側面に収納され、制御盤の前面を全て解放することができる。また、シャッターのスラット５３の連結部は、図１Ｄ（ｂ）、（ｃ）と同じ構成としている。
【００２５】
（実施例５）
次に、本発明の実施例５について説明する。
実施例５は、制御盤１０の扉として、アコーディオンカーテン方式を用いた構成で、図５を用いて説明する。
図５は、アコーディオンのように伸縮しながら開閉できるアコーディオンカーテン方式の扉を搭載した制御盤の斜視図を示し、図５において、５６はアコーディオンカーテン、５７は枠体、５８は枠体及びアコーディオンカーテン５６が移動するためのガイド溝で、上下に配置している。
【００２６】
図５の構成は形開き扉を示し、枠体５７は、カーテン式扉の左側に配置し、枠体５７と制御盤１０の左側の側面とが接触する面にマグネットなどを配置し、扉を閉状態に保持する構成とする。
【００２７】
扉を開くときは、枠体５７に手を掛けて引くことで、アコーディオンカーテン５６は折り重なって収縮し、扉が開放される。
また、アコーディオンカーテン５６の折れ曲がった一枚一枚には、アクリル板などの透明板を配置した窓３３を上側に配置し、メッシュやフィルタで形成した空気取入口３４を下側に配置している。
また、図示していないが、アコーディオンカーテンを収納する収納ケースを制御盤１０の前面のコーナに配置しても良い。
【００２８】
（実施例６）
次に、本発明の実施例６について、図６を用いて説明する。
図６は、制御盤１０の前面の扉を引戸式扉にした場合の制御盤の斜視図を示し、図６において、６０、６１、６２、６３は引戸、６４は取手、６５、６６、６７、６８はそれぞれ上下のレール部又は敷居を示す。
また、引戸の下側の底部には戸車を配置し、レールの上を滑らかに移動できるように構成する。また、各引戸の戸板部分には上側にアクリル材の透明板の窓３３を配置し、下側にはメッシュやフィルタで構成した空気取入口３４を配置する。
このように制御盤の扉の引戸を多段にすることにより制御盤の扉を開いたとき開口が大きくなり、作業者が作業し易くなる。
【００２９】
（実施例７）
次に、本発明の実施例７について図７を用いて説明する。
図７は、分かり易くするために制御盤内に配置されている装置や回路遮断器などを省略し、制御盤の筐体に本発明のシャッターを配置した斜視図を示す。
図７において、７０は制御盤の筐体、７１はシャッター、７２は筺体に設置したガイドレール、７３は取手、７４はシャッター巻取部である。
図７の構成は、制御盤の前面から天井部を介して背面まで、シャッターを開ける方向に沿って両側にガイドレール７２を設け、シャッター７１をスライドして全開できるようにしたものである。
制御盤の背面の下側にはシャッター７１を巻き取る巻取部７４を配置し、シャッター開示は巻取部７４で巻き取り、シャッター閉時は巻取部７４より送り出して閉める。シャッターの開閉の駆動はモータを備えた開閉機を用いて自動で行う。また、図示していないが、制御盤の正面のシャッター部分において、スラットには窓や空気取入口を形成する。
【００３０】
このような構成にすることにより、制御盤内に重量物の制御機器などを搬入する場合や搬出する場合に、制御盤の上部より重量物を吊り下げて作業することができる。
【００３１】
以上、本発明の制御盤の扉について図を用いて説明してきたが、図において空気取入口を扉の半分くらいにしているが、扉全体の１／３くらいでも良い。また、制御盤内を冷却する必要がない場合、すなわち冷却ファンがない場合は空気取入口をなくすことも可能である。また、図において制御盤の扉を両開きにしたり片開きにしたりしているが、どちらの扉でも使用できることはいうまでもない。
【符号の説明】
【００３２】
１０‥制御盤、
１１‥制御盤本体、
１２‥両開き（観音開き）扉、
１３‥ハンドル、
１４‥空気取入口、
１５‥インバータ、
１６、１７‥制御ボックス、
１８‥三相用回路遮断器、
１９‥線材用孔、
２０‥冷却ファン、
２１‥排気ダクト、
２３‥両開き（観音開き）扉、
２４‥ハンドル、
２５‥空気取入口、
２６‥インバータの駆動用制御ボックス、
２７‥大容量対応の回路遮断器、
２８‥端子台、
３０‥シャッターのスラット、
３１‥シャッター巻取部、
３２‥取手、
３３‥スラットの窓、
３４‥空気取り込み口、
３５‥ガイドレール、
３１‥巻取部、
３６‥シャッター巻取シャフト
３７‥シャフト受け、
３８‥窓用の細長い孔、
３９‥空気取入口用の細長い孔、
４０‥防塵フィルタ、
５６‥アコーディオンカーテン、
５７‥枠体、
５８‥ガイド溝、
６０、６１、６２、６３‥引戸、
６４‥取手、
６５、６６、６７、６８‥レール部又は敷居、
７０‥制御盤筐体、
７１‥シャッター、
７２‥ガイドレール、
７３‥取手、
７４‥シャッター巻取部
【図１Ａ】
2014217139.tif 000003
【図１Ｂ】
2014217139.tif 000004
【図１Ｃ】
2014217139.tif 000005
【図１Ｄ】
2014217139.tif 000006
【図１Ｅ】
2014217139.tif 000007
【図１Ｆ】
2014217139.tif 000008
【図１Ｇ】
2014217139.tif 000009
【図２】
2014217139.tif 000010
【図３】
2014217139.tif 000011
【図４】
2014217139.tif 000012
【図５】
2014217139.tif 000013
【図６】
2014217139.tif 000014
【図７】
2014217139.tif 000015
【図８Ａ】
2014217139.tif 000016
【図８Ｂ】
2014217139.tif 000017